(57)【特許請求の範囲】
【請求項１】
一定の間隔で立設される支柱と、該支柱間の下部にそれぞれ配置され、その上面の支柱を隔てて相対する両側部に溝孔を形成してなる島ブロックと、金属板の前後両側を下方へコ字状に折曲して連結片と取付片とを対設すると共に、上面に切欠部を設けてなる連結金具とからなり、
前記連結金具の切欠部を支柱に嵌合すると共に、該連結金具の連結片を互いに隣接する島ブロックの溝孔に挿入し、さらに連結金具の取付片を支柱と互いに隣接する島ブロックの後面にそれぞれ当てがった状態で該取付片を支柱にビス止めしてなることを特徴とするパチンコ機設置島における島ブロックの連結構造。
【発明の詳細な説明】
【０００１】
【発明の属する技術分野】
本発明は、複数台のパチンコ機を横方向に並べて設置するパチンコ機設置島に関し、特に一定の間隔で立設される支柱とパチンコ機を設置する島ブロックとの連結構造に関するものである。
【０００２】
【従来の技術】
従来、パチンコ機設置島として、一定の間隔で立設される支柱間の下部にパチンコ機を設置する島ブロックを配置し、該島ブロックと支柱とを連結金具で連結してなるものが知られていた。
【０００３】
このような構成からなるパチンコ機設置島は図９に示すように支柱１００に２個のＬ字型金具１０１，１０１と１個の支持金具１０２を溶接により固着し、隣接する島ブロック１０３，１０３のそれぞれ下部を支持金具１０２で支持すると共に、互いの上部側面をそれぞれＬ字形金具１０１，１０１にビス止め１０４，１０４することによって支柱１００と隣接するそれぞれの島ブロック１０３，１０３を連結するようにしていた。
【０００４】
【発明が解決しようとする課題】
上記した従来のパチンコ機設置島における島ブロックの取付構造は、支柱１００に支持金具１０２と２個のＬ字形金具１０１，１０１の合計３個の金具を溶接によって取付けなければならないため、溶接作業に時間を要する上、コスト高になるという問題点があった。
【０００５】
また、隣接する各島ブロック１０３，１０３間の間隔が狭いため、各島ブロック１０３を位置決めしながらＬ字形金具１０１にビス止めするのに面倒な手間が掛かって作業性が悪く、しかも連結強度が劣る等種々の問題点があった。
【０００６】
本発明は、上記した問題点に鑑みなされたもので、その目的とするところは、支柱と互いに隣接する島ブロックとを容易かつ強固に連結固定できるようなパチンコ機設置島における島ブロックの連結構造を提供することにある。
【０００７】
【課題を解決するための手段】
上記目的を達成するために、本発明に係るパチンコ機設置島における島ブロックの連結構造は、一定の間隔で立設される支柱と、該支柱間の下部にそれぞれ配置され、その上面の支柱を隔てて相対する両側部に溝孔を形成してなる島ブロックと、金属板の前後両側を下方へコ字状に折曲して連結片と取付片とを対設すると共に、上面に切欠部を設けてなる連結金具とからなり、前記連結金具の切欠部を支柱に嵌合すると共に、該連結金具の連結片を互いに隣接する島ブロックの溝孔に挿入し、さらに連結金具の取付片を支柱と互いに隣接する島ブロックの後面にそれぞれ当てがった状態で該取付片を支柱にビス止めするようにしたものである。
【０００８】
前記支柱は、角パイプ状の前後一対の柱体を複数の横連結部材を介して平行に連結して構成するのが好ましい。
【０００９】
そして、支柱の前後の柱体間の下部にそれぞれ島ブロックを一定の間隔を離して背向きして配置すると共に、各柱体と島ブロックとをビス止めするようにすればよい。
【００１０】
また、島ブロックは、パチンコ機を設置する台板と両側板及び腰板とによって箱枠状に構成し、該台板上に２台のパチンコ機を並べて設置し得るようにするのが好ましい。
【００１１】
さらに、前記連結金具の切欠部は、支柱の柱体を確固と挟持して島ブロックの連結強化を計るべく該柱体の横幅と等しく形成するのが好ましい。
【００１２】
上記のように構成されたパチンコ機設置島における島ブロックの連結構造は、連結金具の切欠部を支柱の柱体に嵌合し、連結片を互いに隣接する島ブロックの溝孔に挿入した状態で取付片を支柱の柱体にビス止めするだけの簡単な作業で支柱と互いに隣接する各島ブロックとをガタつかないように強固に連結することができる。
【００１３】
【発明の実施の形態】
次に、本発明の一実施の形態について図面を参照して説明する。図１はパチンコ機設置島の一部正面図、図２はパチンコ機設置島の下部部分の枠組みを示す斜視図である。図において、１は一定の間隔（本実施の形態ではパチンコ機２台分）で立設される支柱、２は支柱１，１間に配置される島ブロック、３は島ブロック２に設置されるパチンコ機、４はパチンコ機３の上方に張られる幕板である。
【００１４】
前記支柱１は、図３に示すように角パイプ状の前後一対の柱体５，５を複数の横連結部材６を介して平行に連結して構成されており、高さ調節用のＬ金具７を介して床面に垂直に固定されている。この柱体５，５の下部には互いに隣接する各島ブロック２の下部を支持する支持金具８がそれぞれ溶接によって固定されている。また、両柱体５，５の前面には後述する連結金具１５をビス止めするためのねじ孔９，９が設けられている。
【００１５】
前記島ブロック２は、各支柱１，１の柱体５，５間の下部にそれぞれ背向きして配置される。この島ブロック２は、図４に示すようにパチンコ機３を設置する台板１０と両側板１１，１１及び腰板１２とによって後面が開口した箱枠状に構成されている。この島ブロック２は本実施の形態では２台のパチンコ機３，３が設置されるようになっており、かつ台板１０の両側部に溝孔１３，１３が形成されている。なお、両側板１１，１１の下端には前記支持金具８に嵌挿する縦溝孔１４，１４が形成されている。
【００１６】
図５は支柱１の柱体５と互いに隣接する島ブロック２，２とを連結するための連結金具の斜視図である。この連結金具１５は、金属板の前後両側を下方へコ字状に屈曲して島ブロック２の溝孔１３に挿入する連結片１６と、支柱１の柱体５及び隣接する島ブロック２，２の台板１０後面に当てがう取付片１７とを対設すると共に、上面に柱体５に嵌合する切欠部１８を設けて構成されており、取付片１７には柱体５のねじ孔９に合致するねじ挿通用の小透孔１９が穿設されている。なお、前記切欠部１８は柱体５の横幅とほぼ等しく形成されている。また、連結片１６と取付片１７の内面との間隔は島ブロック２の台板１０後面と溝孔１３との間隔と等しく形成されている。
【００１７】
上記構成よりなる本発明は、図６ないし図８に示すように先ず支柱１の柱体５，５…間の下部に島ブロック２，２…をそれぞれ配置して両側下部の縦溝孔１４，１４を支持金具８，８に嵌挿して支持させた後、連結金具１５の切欠部１８を各柱体５に嵌合する。次いで連結金具１５の連結片１６を互いに隣接する島ブロック２，２の溝孔１３，１３に挿入し、取付片１７を柱体５と隣接する島ブロック２，２の台板１０，１０後面に当てがった後、取付片１７の小透孔１９から柱体５のねじ孔９にビス２０を締め付けて固定する。なお、この際に図示のように連結金具１５と各島ブロック２とをビス止め２１，２１しておけば一層強固に連結固定することができる。
【００１８】
【発明の効果】
以上、説明したところから明らかなように、本発明に係るパチンコ機設置島における島ブロックの取付構造は、連結金具の切欠部を支柱の柱体に嵌合すると共に、連結片を互いに隣接する島ブロックの溝孔に挿入した状態で取付片を支柱の柱体にビス止めするだけの簡単な作業で互いに隣接する島ブロックと支柱とが強固に連結固定されるものであって、パチンコ機設置島の組立でが簡単かつ迅速に行われるものである。
【００１９】
また、連結金具の切欠部を支柱の柱体に嵌合した状態で該連結金具の連結片を島ブロックの溝孔に挿入すると共に、取付片を支柱と島ブロックのそれぞれ後面に当てがうことによって各島ブロックの前後位置が正しく位置決めされると共に、前後方向のガタつきが確実に防止されて強固な取付けを行ない得る。
【００２０】
さらに、連結金具を使用することによって支柱の柱体には島ブロックの下部を受けるためのＬ字形金具を溶接するだけで済み、大幅なコストダウンを達成することができる。
【図面の簡単な説明】
【図１】パチンコ機設置島の部分正面図である。
【図２】図１のパチンコ機設置島の下部部分の枠組みを示す斜視図である。
【図３】支柱の斜視図である。
【図４】島ブロックの斜視図である。
【図５】連結金具の斜視図である。
【図６】支柱の柱体と隣接する島ブロックの連結状態を示す斜視図である。
【図７】図６の平面図である。
【図８】支柱の柱体と島ブロックの連結状態を示す側面断面図である。
【図９】従来技術の説明図である。
【符号の説明】
１      支柱
５      柱体
１３    溝孔
１５    連結金具
１６    連結片
１７    取付片
１８    切欠部
２０    ねじ
【図１】
0004004574.tif 000002
【図２】
0004004574.tif 000003
【図３】
0004004574.tif 000004
【図４】
0004004574.tif 000005
【図５】
0004004574.tif 000006
【図６】
0004004574.tif 000007
【図７】
0004004574.tif 000008
【図８】
0004004574.tif 000009
【図９】
0004004574.tif 000010